(57)【要約】【課題】  理想的な腰部の動きを習得可能で簡便な構成のゴルフスイング矯正装置を提供することである。【解決手段】  平面に設置可能な基台部２と、この基台部２に立設されゴルフスイングのバックスイング時に利き手側の腰部の一部が接触する第１の腰部接触部３ａと，この第１の腰部接触部３ａに対して平行位置において基台部２に立設されゴルフスイングのフォロースイング時に利き手ではない側の腰部の一部が接触する第２の腰部接触部３ｂとを備える一対の腰部接触部３と、基台部２に対して平行位置に設置されゴルフスイング時の腰部の上下動を確認可能な横棒部４とを有するものである。【選択図】  図１
0003179781.tif 000002
【実用新案登録請求の範囲】
【請求項１】
平面に設置可能な基台部と、この基台部に立設されゴルフスイングのバックスイング時に利き手側の腰部の一部が接触する第１の腰部接触部と，この第１の腰部接触部に対して平行位置において前記基台部に立設されゴルフスイングのフォロースイング時に利き手ではない側の腰部の一部が接触する第２の腰部接触部とを備える一対の腰部接触部と、前記基台部に対して平行位置に設置されゴルフスイング時の腰部の上下動を確認可能な横棒部とを有することを特徴とするゴルフスイング矯正装置。
【請求項２】
前記基台部に対して垂直位置に設置されゴルフスイング時の体幹及び頭の軸ぶれを確認可能な縦棒部を有することを特徴とする請求項１記載のゴルフスイング矯正装置。
【請求項３】
前記一対の腰部接触部は、前記第１の腰部接触部と前記第２の腰部接触部の高さ及び／又はそれらの間の距離を変更可能に設置されることを特徴とする請求項１又は請求項２に記載のゴルフスイング矯正装置。
【請求項４】
前記一対の腰部接触部は、前記第１の腰部接触部の傾倒を防止する第１の支持部と、前記第２の腰部接触部の傾倒を防止する第２の支持部とを備えることを特徴とする請求項１乃至請求項３のいずれか１項に記載のゴルフスイング矯正装置。
【請求項５】
前記横棒部は、前記基台部に対する平行方向の高さを変更可能に設置されることを特徴とする請求項１乃至請求項４のいずれか１項に記載のゴルフスイング矯正装置。
【請求項６】
前記縦棒部は、前記基台部に対する垂直方向の設置位置を変更可能に設置されることを特徴とする請求項１乃至請求項５のいずれか１項に記載のゴルフスイング矯正装置。
【考案の詳細な説明】
【技術分野】
【０００１】
本考案は、ゴルフのスイングを矯正するゴルフスイング矯正装置に関する。
【背景技術】
【０００２】
一般に、広く愛好されているスポーツの一つであるゴルフでは、正しいスイング姿勢の習得が非常に困難であり、多くのゴルファーが熱心に練習を重ねている。そこで、正しいスイング姿勢を習得するために様々な練習装置が考えられている。
【０００３】
例えば、特許文献１には、「ゴルフスイング練習装置」という名称で、ゴルフスイング時の両膝の左右の移動を抑制して理想的なスイングを実現可能なゴルフスイング練習装置に関する発明が開示されている。
この特許文献１に開示された発明は、両足を載置する基板と、この基板に装着されスイング時に両膝が外側方向に移動するのを抑止する一対の膝掛止具と、基板の上部に設置される軸足固定具とを有するものである。
そして、一対の膝係止具は基板の両側部にそれぞれ立設されており、上端部の高さは大人の膝の高さになるように設定されている。使用者が両足を肩幅程度の所定の間隔を開けてスタンスを決めて基板上に立ち、バックスイングを行う際には、利き膝が外側方向に移動しようとすると、利き膝は一の膝係止具に接触して外側への移動が抑止される。また、インパクト時には利き足でない方の足が外側に移動しようとすると、他の膝係止具によって外側への移動が抑止され、引き続き、利き足でない側の足は他の膝係止具に係止された状態でフォロースイングを行うことができる。したがって、スイング時の左右の膝の移動を防止したゴルフスイング練習を行うことができる。また、基板には軸足固定具を設けることができ、この軸足には軸足が固定されるので、スイング時の軸足の上昇やズレを解消することも可能になっている。
【０００４】
また、特許文献２には、「ゴルフスイング練習装置」という名称で、最良のスイングを効果的に教示可能なゴルフスイング練習装置に関する発明が開示されている。
この特許文献２に開示された発明は、ゴルファーの立ち位置を囲繞するコの字型の支持部と、ゴルファーの利き足側において支持部に支持されバックスイング時に移動する利き膝に当接して適正な利き膝の位置を教示する第１の膝当接部材と、ゴルファーの両足間において支持部に支持されバックスイング時には利き膝でない側の膝に一の面が当接して適正な位置を教示しダウンスイング時には移動する利き膝に他の面が当接して適正な位置を教示する第２の膝当接部材と、バックスイング及びダウンスイング時のゴルフクラブの軌道位置よりもゴルファーの前方側の位置において支持部に支持されてバックスイング及びダウンスイング時にゴルファーの頭部に当接して適正な位置を教示する頭部当接部材を有するものである。
そして、使用者であるゴルファーが支持部内でスタンスを決めると、第１の膝当接部材が利き足側の膝の外側に当接し、また、第２の膝当接部材が両足間で利き足でない側の膝の内側に当接し、さらに、頭部当接部材がこめかみ等の頭部に当接した状態で配置される。そして、スイングを行う際には、移動する利き膝の内側に第２の膝当接部材が当接するので、スタンスを決めてからスイングを行うまでの間の両膝の正しい位置が第１の膝当接部材及び第２の膝当接部材によって導かれるので繰返し練習することによって膝の動作が習得でき、適正な体重の配分を学ぶことができる。また、頭部が頭部当接部材によって固定されるのでスイング中の頭部の静止も可能となり、正しい姿勢でのスイングを習得することができる。
【先行技術文献】
【特許文献】
【０００５】
【特許文献１】特開２００５−１２５０３６号公報
【特許文献２】特公平２−４３１０号公報
【考案の概要】
【考案が解決しようとする課題】
【０００６】
しかしながら、上述の従来技術である特許文献１に開示された発明は、スイング時の膝の移動を抑制可能な練習装置であるが、スイング時の体重移動の行い方等で膝よりも重要な腰部の移動をチェックすることができないという課題があった。
【０００７】
また、特許文献２に開示された発明は、両膝や頭部の動きを適正化するものであるが、腰部の動きについては言及されておらず、特許文献１の場合と同様にゴルフスイングにおいて最も重要な動きの一つである腰部の動きを習得することができないという課題があった。
【０００８】
本考案はかかる従来の事情に対処してなされたものであり、理想的な腰部の動きを習得可能で簡便な構成のゴルフスイング矯正装置を提供することを目的とする。
【課題を解決するための手段】
【０００９】
上記目的を達成するため、請求項１記載の考案であるゴルフスイング矯正装置は、平面に設置可能な基台部と、この基台部に立設されゴルフスイングのバックスイング時に利き手側の腰部の一部が接触する第１の腰部接触部と，この第１の腰部接触部に対して平行位置において基台部に立設されゴルフスイングのフォロースイング時に利き手ではない側の腰部の一部が接触する第２の腰部接触部とを備える一対の腰部接触部と、基台部に対して平行位置に設置されゴルフスイング時の腰部の上下動を確認可能な横棒部とを有するものである。
このような構成のゴルフスイング矯正装置によれば、基台部は平面に設置されて第１の腰部接触部及び第２の腰部接触部を支持するように作用する。また、一対の腰部接触部は、第１の腰部接触部においてゴルフスイングのバックスイング時に利き手側の腰部の一部が接触するように作用し、第２の腰部接触部において、ゴルフスイングのフォロースイング時に利き手ではない側の腰部の一部が接触するように作用する。そして、横棒部は基台部に対して平行位置に配置されてゴルフスイング時の腰部の上下動を確認可能に作用する。
【００１０】
また、請求項２記載の考案は、請求項１記載のゴルフスイング矯正装置において、基台部に対して垂直位置に設置されゴルフスイング時の体幹及び頭の軸ぶれ（左右動）を確認可能な縦棒部を有するものである。
このような構成のゴルフスイング矯正装置においては、請求項１に記載の考案の作用に加えて、縦棒部は基台部に対して垂直位置に設置されてゴルフスイング時の体幹や頭の軸ぶれ（左右動）を確認可能に作用する。
【００１１】
請求項３記載の考案は、請求項１又は請求項２に記載のゴルフスイング矯正装置において、一対の腰部接触部は、第１の腰部接触部と第２の腰部接触部の高さ及び／又はそれらの間の距離を変更可能に設置されるものである。
このような構成のゴルフスイング矯正装置においては、請求項１又は請求項２に記載の考案の作用に加えて、一対の腰部接触部は、第１の腰部接触部と第２の腰部接触部の高さ及び／又はそれらの間の距離が可変となるという作用を有する。
【００１２】
請求項４記載の考案は、請求項１乃至請求項３のいずれか１項に記載のゴルフスイング矯正装置において、一対の腰部接触部は、第１の腰部接触部の傾倒を防止する第１の支持部と、第２の腰部接触部の傾倒を防止する第２の支持部とを備えるものである。
このような構成のゴルフスイング矯正装置においては、請求項１乃至請求項３のいずれか１項に記載の考案の作用に加えて、一対の腰部接触部が備える第１の支持部及び第２の支持部は、それぞれ第１の腰部接触部及び第２の腰部接触部の傾倒を防止するように作用する。
【００１３】
請求項５記載の考案は、請求項１乃至請求項４のいずれか１項に記載のゴルフスイング矯正装置において、横棒部は、基台部に対する平行方向の高さを変更可能に設置されるものである。
このような構成のゴルフスイング矯正装置においては、請求項１乃至請求項４のいずれか１項に記載の考案の作用に加えて、横棒部は、基台部に対する平行方向（水平方向）のレベル高さが可変となるという作用を有する。
【００１４】
最後に、請求項６記載の考案は、請求項１乃至請求項５のいずれか１項に記載のゴルフスイング矯正装置において、縦棒部は、基台部に対する垂直方向の設置位置を変更可能に設置されるものである。
このような構成のゴルフスイング矯正装置においては、請求項１乃至請求項５のいずれか１項に記載の考案の作用に加えて、縦棒部は、基台部に対する垂直方向の設置位置が可変となるという作用を有する。
【考案の効果】
【００１５】
以上説明したように、本考案の請求項１に記載のゴルフスイング矯正装置においては、一対の腰部接触部の第１の腰部接触部と第２の腰部接触部の間にスタンスを決めて立ち、ゴルフスイングを行うと、バックスイングの際には利き手側の腰部の一部が第１の腰部接触部に接触し、続いて、ゴルフクラブを振り切り、フォロースイングに達すると、利き手でない側の腰部の一部が第２の腰部接触部に接触する。したがって、使用者はバックスイングからフォロースイングにかけての腰部の回転及び体重移動を一対の腰部接触部への接触によって感じ取ることができ、ゴルフスイングにおいて最も重要な腰部の理想的な動きを習得することができる。また、横棒部が設けられているので、左右方向のみならずスイング中の腰部の上下動も確認することができ、腰部の上下方向における動きの矯正も行うことができる。従って、腰の回転や移動と共に、膝の曲げも同時に確認することができるため、ゴルフスイングを３次元的に捉えながら習得したり矯正したりすることができる。
【００１６】
また、本考案の請求項２に記載のゴルフスイング矯正装置においては、縦棒部を備えているので、ゴルフスイング時の体の左右動の確認が可能となり、体幹や頭の軸線のぶれを防止したスイング姿勢を習得することができる。
【００１７】
そして、本考案の請求項３に記載のゴルフスイング矯正装置においては、一対の腰部接触部は、第１の腰部接触部と第２の腰部接触部の高さやそれらの間の距離が可変であるので、使用者の腰部の高さやスイング時の腰部の動きに合わせて位置を調整することができ、体型が異なる男性や女性や子どもにおいて広く使用することができる。
【００１８】
本考案の請求項４に記載のゴルフスイング矯正装置においては、一対の腰部接触部は第１の支持部及び第２の支持部を備えているので、第１の腰部接触部及び第２の腰部接触部に外力がかかってもこれらが傾倒することなく使用者の腰部を支持し、安全にゴルフスイングの練習を行うことができる。
【００１９】
本考案の請求項５に記載のゴルフスイング矯正装置においては、横棒部は、基台部に対する平行方向の高さが可変であるので、使用者の腰部の高さに合わせて自由に位置を設置することができる。
【００２０】
最後に、本考案の請求項６に記載のゴルフスイング矯正装置においては、縦棒部は、基台部に対する垂直方向の設置位置が可変であるので、使用者の頭部位置や所望の縦位置において自由に設置位置を変更することができる。
【図面の簡単な説明】
【００２１】
【図１】本考案の実施の形態に係るゴルフスイング矯正装置の正面図である。
【図２】本考案の実施の形態に係るゴルフスイング矯正装置の斜視図である。
【図３】（ａ）は図２中の符号Ａで囲まれた部分の拡大図であり、（ｂ）は図２中の符号Ｂで囲まれた部分の拡大図である。
【図４】本考案の実施の形態に係るゴルフスイング矯正装置の支持棒の固定部材の概念図である。
【図５】本考案の実施の形態に係るゴルフスイング矯正装置において使用者がバックスイングした際の概念図である。
【図６】本考案の実施の形態に係るゴルフスイング矯正装置において使用者がフォロースイングした際の概念図である。
【考案を実施するための形態】
【００２２】
以下に、本考案に係るゴルフスイング矯正装置の実施の形態を図１乃至図６を参照しながら説明する。（請求項１乃至請求項６に対応）
図１は、本考案の実施の形態に係るゴルフスイング矯正装置の正面図である。
図１において、ゴルフスイング矯正装置１は、基台２、第１の腰部接触部３ａ及び第２の腰部接触部３ｂからなる一対の腰部接触部３、横棒４、第１の縦棒５ａ及び第２の縦棒５ｂを備えている。
基台２は、地面や床面等の平面に設置可能で、４枚の基板２ａ，２ｂ，２ｃ，２ｄが組み合わされて矩形の枠体形状に構成されており、各基板は鉄等の金属で形成されている。
【００２３】
一対の腰部接触部３は、詳細については後述するが、第１の腰部接触部３ａ及び第２の腰部接触部３ｂがそれぞれ格子６ａ及び格子６ｂを備えて、互いに平行になるように基台２に立設されている。また、第１の腰部接触部３ａ及び第２の腰部接触部３ｂにはそれぞれ第１の支持棒７ａ及び第２の支持棒７ｂが具備されており、第１の腰部接触部３ａ及び第２の腰部接触部３ｂを支持してこれらの傾倒を防止している。そして、第１の支持棒７ａには連結部材８ａ及びピン９ａが設けられており、第１の固定部材１０ａによって基台２に固定されており、一方、第２の支持棒７ｂも同様に連結部材８ｂ及びピン９ｂが設けられ、第２の固定部材１０ｂによって基台２に固定されている。
使用者は第１の腰部接触部３ａと第２の腰部接触部３ｂの間に適当な間隔の足幅でスタンスを決めて立ち、ゴルフスイングを行うと、バックスイングの際には利き手側の腰部が利き手側に移動して第１の腰部接触部３ａに接触し、続いて、フォロースイングの際には利き手でない側の腰部が利き手でない側に移動して第２の腰部接触部３ｂに接触する。このようにスイング中の腰部が移動して第１の腰部接触部３ａ及び第２の腰部接触部３ｂに接触することによって、使用者はスイング時の腰部の理想的な移動を習得することが可能となる。また、第１の腰部接触部３ａ及び第２の腰部接触部３ｂはそれぞれ第１の支持棒７ａ及び第２の支持棒７ｂを備えているので、使用者の腰部が強く接触しても第１の腰部接触部３ａ及び第２の腰部接触部３ｂが傾倒することなく安全にゴルフスイングの練習を行うことができる。
なお、符号１１ａ及び符号１１ｂはピン、符号１２ａ乃至符号１２ｃはそれぞれ第１の位置調整部材、第２の位置調整部材及び第３の位置調整部材、符号１３ａ乃至符号１３ｄは貫通孔、符号１４ａ、符号１４ｂ及び符号１４ｄはピン、同じく符号１５ａ乃至符号１５ｃはピン、符号１６ａ及び符号１６ｂはフックであり、後述する一対の腰部接触部３の高さ調整や位置調整及び固定に関わる部材である。また、この高さ調整や位置調整（幅調整）は、レッスンプロやゴルフ上級者によって、使用者各々に適した状態とすべく実施されるとよい。もちろん、後述する横棒４や第１、第２の縦棒５ａ，５ｂの高さ調整や位置調整（幅調整）も同様である。
【００２４】
横棒４は、木材、プラスチックや金属製の長細い棒状体であり、一対の腰部接触部３の格子６ａと格子６ｂに着脱自在に挿通されて、基台２に対して平行になるように設置されている。一対の腰部接触部３の格子６ａ及び格子６ｂは、複数の格子で形成されているので、格子の高さ方向において横棒４の挿通位置を変えることによって横棒４の高さを変更することができる。したがって、使用者の腰部の高さに合わせて横棒４の高さを調整することができる。横棒４を設置することによって、使用者のゴルフスイングにおいて腰部の上下動を確認することができるので、使用者はスイング中に腰部が上下動しないようにフォームを矯正しながら練習することができる。
すなわち、第１の腰部接触部３ａ及び第２の腰部接触部３ｂと同時に横棒４を設けることで、使用者はゴルフスイング時に腰部の回転や移動と同時にその上下動をも確認できるので、スイングを３次元的に捉えて習得や矯正を行うことができるのである。
【００２５】
第１の縦棒５ａ及び第２の縦棒５ｂは、横棒４と同様に、木材やプラスチックや金属製の長細い棒状体であり、基台２の基板２ｂに設けられた第１の縦棒支持部材１７ａ及び第２の縦棒支持部材１７ｂに着脱自在に支持されて基台２に対して垂直になるように設置されている。第１の縦棒５ａ及び第２の縦棒５ｂでは、使用者のゴルフスイング中の体の軸線の左右動を確認することができる。したがって、使用者はスイング中の左右方向の動きの癖を確認し、頭部や体幹の軸線がぶれないように練習を重ねることができる。
なお、本実施の形態では、第１の縦棒５ａ及び第２の縦棒５ｂの２本の縦棒を設置しているが、縦棒の設置数は特に限定されるものではなく、１本にしたり又は３本以上にしたりすることもできる。また、第１の縦棒支持部材１７ａや第２の縦棒支持部材１７ｂ以外にも縦棒支持部材を設けて、縦棒設置位置を調整するようにしてもよい。
【００２６】
次に、図２は、本考案の実施の形態に係るゴルフスイング矯正装置の斜視図である。なお、図２において、図１に記載されたものと同一の部分については同一の符号を付し、一部についてその構成についての説明は省略する。
図２において、ゴルフスイング矯正装置１の第１の腰部接触部３ａ及び第２の腰部接触部３ｂは、それぞれ平面部１８ａ，１８ｂと伸縮脚部１９ａ，１９ｂで構成されており、平面部１８ａ，１８ｂはそれぞれ格子６ａ，６ｂを備え、前方に突出した構造になっている。使用者は基台２の基板２ａ付近に立つと、平面部１８ａ，１８ｂの突出した部分が使用者の腰部に位置し、ゴルフスイング時の腰部の接触面となる。ゴルフスイング時には、平面部１８ａ，１８ｂの突出した部分以外は使用者の後方に位置するので、ゴルフスイング時のゴルフクラブの軌道には障害物はなく、安全に練習することができる。
また、格子６ａ及び格子６ｂは、縦二段、横五列になるようにワイヤが張られて形成されており、これらの格子の中の一つの格子内に横棒４が挿通されて固定されている。第１の腰部接触部３ａ及び第２の腰部接触部３ｂは互いに平行になるように配置され、格子６ａ及び格子６ｂの高さは同じになるように形成されているので、横棒４は基台２に対して平行位置に保持される。したがって、使用者はゴルフスイング時の腰部の上下動を平行に配置される横棒４によって確認することができる。また、格子６ａ及び格子６ａは縦方向に二段形成されているので、挿入位置を変更することによって横棒４は高さ調整が可能となり、使用者の腰部の高さに合わせて位置調整を行うことができる。なお、格子６ａ及び格子６ｂの構成は特に限定されるものではなく、図示するよりもさらに細かく形成するようにしてもよく、縦方向の格子を増加させて横棒４の高さ調整を細かく設定できるようにしてもよい。
【００２７】
そして、伸縮脚部１９ａ，１９ｂは平面部１８ａ，１８ｂからそれぞれ延設されている。第１の腰部接触部３ａと第２の腰部接触部３ｂは同構造であるので、第２の腰部接触部３ｂについて説明すると、平面部１８ｂから延設される伸縮脚部１９ｂは、脚部２０ｂ及び脚受部２１ｂと、脚部２０ｄ及び脚受部２１ｄの２本を備えている。脚部２０ｂ，２０ｄは脚受部２１ｂ，２１ｄの上部にそれぞれスライド可能に挿入されて、脚部２０ｂ，２０ｄにそれぞれ穿設される貫通孔２２ｂ，２２ｄと、図示していないが脚受部２１ｂ，２１ｄの上部にそれぞれ穿設される貫通孔にピン１１ｂ及びピン１１ｄ（図示せず）が挿通されて固定されている。貫通孔２２ｂ，２２ｄは複数穿設されており、これらの貫通孔２２ｂ，２２ｄへのピンの挿通位置を変えることによって伸縮脚部１９ｂの長さを変更することができる。したがって、使用者の腰部の高さに合わせて第２の腰部接触部３ｂ及び第１の腰部接触部３ａの高さを変えることができるので、体型が異なる使用者にも広く使用されることができる。
なお、符号２３ｂ，２３ｄはロープであり、ピン１１ｂ，１１ｄ（図示せず）と第２の腰部接触部３ｂを繋げてピン１１ｂ，１１ｄ（図示せず）の挿脱を容易にしたり、紛失を防止したりするものである。
また、第２の支持棒７ｂは、ピン９ｂで接続される連結部材８ｂによって第２の腰部接触部３ｂの脚部２０ｂに連結されている。そして、第２の支持棒７ｂの下端部は後述する第２の固定部材１０ｂに嵌入されて固定されている。なお、図示していないが、第１の支持棒７ａについても第２の支持棒７ｂと同様の構造を備えて第１の固定部材１０ａに固定されている。
【００２８】
次に、図３（ａ）は、図２中の符号Ａで囲まれた部分の拡大図であり、図３（ｂ）は図２中の符号Ｂで囲まれた部分の拡大図である。
図３（ａ）及び（ｂ）において、脚受部２１ａ及び脚受部２１ｃの下端部には、平板状の脚底部２４ａ，２４ｃが設けられており、図３（ｂ）に示すように、脚底部２４ｃは、基板２ｂと第３の位置調整部材１２ｃとの間に形成される間隙２７ｃに挿入されている。第３の位置調整部材１２ｃには複数の貫通孔１３ｃが穿設されており、図示していないが、基板２ｂにも同様に穿設された貫通孔とともに、ピン１４ｃ，１５ｃが挿通されて、脚底部２４ｃは基板２ｂに固定されている。また、ピン１４ｃ，１５ｃにはそれぞれロープ２５ｃ，２６ｃが結着されており、ロープ２５ｃ，２６ｃはさらに基板２ｂに固設されたフック１６ｃに結着されて、ピン１４ｃ，１５ｃの取扱いを容易にしている。
図３（ａ）においても、脚底部２４ａは基板２ａと第１の位置調整部材１２ａとの間にできる間隙に挿入されて貫通孔１３ａに挿通されるピン１４ａ，１５ａによって固定され、また、ピン１４ａ，１５ａとフック１６ａはそれぞれロープ２５ａ及びロープ２６ａが結着されている。
貫通孔１３ａ及び貫通孔１３ｃはそれぞれ複数穿設されているので、脚底部２４ａ及び脚底部２４ｃは横方向の固定位置が変更可能となる。また、図示していないが、第２の腰部接触部の伸縮脚部の固定方法も図３に示す方法と同様であるので、したがって、第１の腰部接触部と第２の腰部接触部の幅は自在に変更することができ、使用者（あるいはレッスンプロやゴルフ上級者）は所望の横幅を選定することができるようになっている。
なお、図３（ａ）の脚部２０ａ、脚受部２１ａ、貫通孔２２ａ、ピン１１ａ及びロープ２３ａと、図３（ｂ）の脚部２０ｃ、脚受部２１ｃ、貫通孔２２ｃ、ピン１１ｃ及びロープ２３ｃの伸縮構造及び固定構造については、先に説明した第２の腰部接触部の伸縮脚部における構造と同様であるのでその説明は省略する。
【００２９】
次に、図４は、本考案の実施の形態に係るゴルフスイング矯正装置の支持棒の固定部材の概念図である。
図４において、第２の固定部材１０ｂでは、複数の連結板２８が連結された二列の側壁２９ａ，２９ｂが形成され、これらの側壁２９ａ，２９ｂ間に複数の連結棒３０が配設されて、複数の間隙３１が形成されている。第２の支持棒７ｂの下端部は、間隙３１に嵌入されることによって第２の固定部材１０ｂに固定される。間隙３１は複数形成されているので、第２の支持棒７ｂの横方向の移動に応じて固定することができる。すなわち、第２の固定部材１０ｂは、第２の支持棒７ｂが支持する第２の腰部接触部の横方向の移動に対応することができる。
なお、図示していないが、第１の腰部接触部を支持する第１の支持棒についても同様の固定部材が具備されて、同様の固定方法となる。
【００３０】
続いて、本実施の形態に係るゴルフスイング矯正装置の使用例について図５及び図６を参照して説明する。なお、図５及び図６において、図１に記載されたものと同一の部分については同一の符号を付し、その構成についての説明は省略する。
図５は、本考案の実施の形態に係るゴルフスイング矯正装置において使用者がバックスイングした際の概念図である。
図５において、右利きの使用者３２は、ゴルフスイング矯正装置１の第１の腰部接触部３ａと第２の腰部接触部３ｂの間で基台２の基板２ｂの前方に立ってゴルフクラブ３３を把持してバックスイングを行っている。バックスイングを行うと、使用者３２の腰部は右方向に回転するとともに移動する。このとき使用者３２の右側の腰部３４は第１の腰部接触部３ａに接触してさらなる移動が抑止されるので、使用者３２は適正な腰部の位置を保持した状態でバックスイングを行うことができる。
【００３１】
また、図６は、本考案の実施の形態に係るゴルフスイング矯正装置において使用者がフォロースイングした際の概念図である。
図６において、使用者３２は、図５におけるバックスイングに続いて、フォロースイングを行っている。フォロースイングでは、使用者３２はバックスイングにおいて右方向に回転及び移動した腰部をゴルフクラブ３３を振る左方向に回転及び移動しながらゴルフボールを打ち、さらに腰部の左方向への回転及び移動を続ける。そして、フォロースイングに達したとき、使用者３２の右側の腰部３４は、第１の腰部接触部３ａから離れて、今度は左側の腰部３５が第２の腰部接触部３ｂに接触する。したがって、使用者３２は、左側の腰部３５の移動位置を第２の腰部接触部３ｂとの接触で感知し、理想的な腰部の移動位置を認知することができる。
また、横棒４によって腰部がスイング時に上下動しているか否かを確認することができるので、不要な上下動を防止するように練習を重ねることができる。さらに、第１の腰部接触部３ａと第２の腰部接触部３ｂと相まって、３次元的にゴルフスイングを捉えることが可能であり、より具体的に分かり易くゴルフスイングの習得や矯正が可能である。
第１の縦棒５ａ及び第２の縦棒５ｂによって、頭部３６や体の軸線の左右動の確認も可能であり、スイング時の軸線のぶれをなくすような練習を行うこともできる。
なお、本実施の形態においては、右利きの使用者３２について説明したが、左利きの使用者も使用可能であり、左利きの使用者の場合はバックスイング時に左側の腰部が第２の腰部接触部３ｂに接触し、フォロースイング時に右側の腰部が第１の腰部接触部３ａに接触することによってゴルフスイング矯正装置１における効果を得ることができる。
【００３２】
このように構成された本実施の形態においては、ゴルフスイングにおいて最も重要である腰部の回転や移動等の動きを一対の腰部接触部との接触によって認識することによって、理想的なフォームの習得を可能としている。また、横棒、第１の縦棒及び第２の縦棒の設置によって腰部の上下動や頭部及び体の左右動を確認することができるので、さらに優れたゴルフスイングのフォームを確立させることが可能となる。
【産業上の利用可能性】
【００３３】
以上説明したように、請求項１乃至請求項６に記載された本考案は、ゴルフスイングにおける腰部の動きに着目して腰部の動きを適正化したゴルフスイング矯正装置を提供可能であり、ゴルフ練習場や一般家庭において利用可能である。
【符号の説明】
【００３４】
１…ゴルフスイング矯正装置  ２…基台  ２ａ〜２ｄ…基板  ３…一対の腰部接触部  ３ａ…第１の腰部接触部  ３ｂ…第２の腰部接触部  ４…横棒  ５ａ…第１の縦棒  ５ｂ…第２の縦棒  ６ａ，６ｂ…格子  ７ａ…第１の支持棒  ７ｂ…第２の支持棒  ８ａ，８ｂ…連結部材  ９ａ，９ｂ…ピン  １０ａ…第１の固定部材  １０ｂ…第２の固定部材  １１ａ〜１１ｃ…ピン  １２ａ…第１の位置調整部材  １２ｂ…第２の位置調整部材  １２ｃ…第３の位置調整部材  １３ａ〜１３ｄ…貫通孔  １４ａ〜１４ｄ…ピン  １５ａ〜１５ｄ…ピン  １６ａ〜１６ｄ…フック  １７ａ…第１の縦棒支持部材  １７ｂ…第２の縦棒支持部材  １８ａ，１８ｂ…平面部  １９ａ，１９ｂ…伸縮脚部  ２０ａ〜２０ｄ…脚部  ２１ａ〜２１ｄ…脚受部  ２２ａ〜２２ｄ…貫通孔  ２３ａ〜２３ｄ…ロープ  ２４ａ，２４ｃ…脚底部  ２５ａ，２５ｃ…ロープ  ２６ａ，２６ｃ…ロープ  ２７ｃ…間隙  ２８…連結板  ２９ａ，２９ｂ…側壁  ３０…連結棒  ３１…間隙  ３２…使用者  ３３…ゴルフクラブ  ３４…右側の腰部  ３５…左側の腰部  ３６…頭部
【図１】
0003179781.tif 000003
【図２】
0003179781.tif 000004
【図３】
0003179781.tif 000005
【図４】
0003179781.tif 000006
【図５】
0003179781.tif 000007
【図６】
0003179781.tif 000008